(57)【要約】      （修正有）【課題】集熱循環経路の熱媒体の収縮に伴いリザーブタンクから熱媒体を供給するときに、リザーブタンクに残留する熱媒体を可及的に減少させ、リザーブタンクへの熱媒体の補充時期を遅らせ、また、リザーブタンクの小型化が可能な太陽熱温水システムを提供する。【解決手段】太陽熱温水システムは、太陽熱集熱パネルと、この太陽熱集熱パネルで加熱された熱媒体が循環される集熱循環経路と、この集熱循環経路内の内圧が所定圧力以上になった場合に開放される圧力逃し弁６と、この圧力逃し弁６にリザーブホース７を介して接続されたリザーブタンク８とを備え、リザーブタンク８の底部の底面積が、この底部以外の部分の水平断面積より小面積に設定されると共に、リザーブタンク８内に上方から挿入されたリザーブホース７の先端部が、リザーブタンク８の底部に近接するように配設されている。【選択図】図２
2012026689.tif 000002
【特許請求の範囲】
【請求項１】
太陽熱集熱パネルと、この太陽熱集熱パネルで加熱された熱媒体が循環される集熱循環経路と、この集熱循環経路内の内圧が所定圧力以上になった場合に開放される圧力逃し弁と、この圧力逃し弁にリザーブホースを介して接続されたリザーブタンクとを備えた太陽熱温水システムにおいて、
前記リザーブタンクの底部の底面積が、この底部以外の部分の水平断面積より小面積に設定されると共に、前記リザーブタンク内に上方から挿入された前記リザーブホースの先端部が、前記リザーブタンクの底部に近接するように配設されたことを特徴とする太陽熱温水システム。
【請求項２】
前記リザーブホースの前記リザーブタンク内に収容される部分は鉛直姿勢に配置され、その先端部が水平面に対して傾斜状に形成されたことを特徴とする請求項１に記載の太陽熱温水システム。
【請求項３】
前記リザーブタンクは平面視Ｌ字状に形成され、このリザーブタンクと前記熱媒体と熱交換される暖房用湯水を貯留する暖房膨張タンクとが平面視にて矩形状になるように配置されたことを特徴とする請求項１又は２に記載の太陽熱温水システム。
【発明の詳細な説明】
【技術分野】
【０００１】
本発明は太陽熱温水システムに関し、特に集熱循環経路を循環する熱媒体の収縮に伴い集熱循環経路にリザーブタンクから熱媒体が供給されるときに、リザーブタンク内に残留する熱媒体を減らすことができる太陽熱温水システムに関する。
【背景技術】
【０００２】
従来から、太陽エネルギーを利用して給湯用湯水や暖房用湯水などを加熱する種々の太陽熱温水システムが開発されている。一般的に、太陽熱温水システムは、太陽熱集熱パネルと、この太陽熱集熱パネルで加熱され且つ給湯用湯水と暖房用湯水の少なくとも一方と熱交換する熱媒体が循環される集熱循環経路と、この集熱循環経路に介装された集熱膨張タンク及び熱媒体を循環させる為の集熱循環ポンプなどを備えている。
【０００３】
例えば、特許文献１には、太陽熱を利用して貯湯タンクの水を加熱する給湯装置が記載されている。この給湯装置には、上記の集熱膨張タンクとして、アキュームタンクとリザーブタンクとが設けられている。熱媒体が循環される集熱循環経路にアキュームタンクが介装され、このアキュームタンクに配管を介してリザーブタンク（第１、第２サブリザーブタンク）が接続されている。集熱循環経路内の内圧が高くなると、アキュームタンク内の熱媒体がリザーブタンクに排出され、集熱循環経路内の内圧が低くなると、リザーブタンクからアキュームタンク内に熱媒体が供給される。
【０００４】
ところで、太陽熱温水システムには、太陽熱集熱パネルとタンク類（貯湯タンクや集熱膨張タンクなど）とが分離して配置されたタンク分離型があるが、タンク分離型の場合、タンク類を家屋の軒下などの狭いスペースに設置しなければならない場合が多い。このため、集熱膨張タンクを構成するアキュームタンクとリザーブタンクの形状や配置も制限されてしまう。特許文献１の給湯装置においては、水平断面矩形状のケーシングに、貯湯タンクと共にアキュームタンクとリザーブタンクとがコンパクトに収納されている。
【先行技術文献】
【特許文献】
【０００５】
【特許文献１】特開２０１０−１４５０４２号公報
【発明の概要】
【発明が解決しようとする課題】
【０００６】
しかし、上記の特許文献１では、リザーブタンクの底部にリザーブホースが接続されている構造である為に、リザーブタンクの底面側の設置スペースが特殊構造になってしまう。しかも、リザーブホースの接続部がリザーブタンクの底部にある為に、リザーブタンクの上部に接続部がある場合と比較して、熱媒体が漏れる虞がある。一般的に、リザーブタンクは、その上部に上方からリザーブホースが挿入されて接続されている場合が多い。
【０００７】
ところが、集熱循環経路内において熱媒体の収縮に伴い熱媒体貯留タンクにリザーブタンクから熱媒体を供給（補給）するが、太陽熱温水システムを長期間使用していると、集熱循環経路内とリザーブタンク内の熱媒体の総量が徐々に減少してくる。リザーブタンクから集熱循環経路内に熱媒体を供給するが、通常のリザーブタンクの場合、リザーブタンクの水平断面積は上下方向にほぼ一定に形成され、上方から挿入されたリザーブホースの先端とリザーブタンクの底面との間には所定の隙間があるので、リザーブホースの先端部からリザーブタンクの底面との間に熱媒体が多く残留してしまい、集熱循環経路内の熱媒体が早い時期で不足してしまう。
【０００８】
従って、外部から集熱循環経路内に熱媒体を手作業で補充する補充時期が大幅に早まってしまい、手間がかかるという問題が生じる。さらに、熱媒体が早い時期で不足してしまうので、リザーブタンクには、集熱循環経路内に供給する為の熱媒体を大量に貯留しなければならず、リザーブタンクが大型化してしまうという問題も生じる。
【０００９】
本発明の目的は、集熱循環経路の熱媒体の収縮に伴いリザーブタンクから熱媒体を供給するときに、リザーブタンクに残留する熱媒体を可及的に減少させることができる太陽熱温水システムを提供すること、リザーブタンクへの熱媒体の補充時期を遅らせることが可能な太陽熱温水システムを提供すること、リザーブタンクの小型化が可能な太陽熱温水システムを提供すること、などである。
【課題を解決するための手段】
【００１０】
請求項１の太陽熱温水システムは、太陽熱集熱パネルと、この太陽熱集熱パネルで加熱された熱媒体が循環される集熱循環経路と、この集熱循環経路内の内圧が所定圧力以上になった場合に開放される圧力逃し弁と、この圧力逃し弁にリザーブホースを介して接続されたリザーブタンクとを備えた太陽熱温水システムにおいて、前記リザーブタンクの底部の底面積が、この底部以外の部分の水平断面積より小面積に設定されると共に、前記リザーブタンク内に上方から挿入された前記リザーブホースの先端部が、前記リザーブタンクの底部に近接するように配設されたことを特徴としている。
【００１１】
請求項２の太陽熱温水システムは、請求項１の発明において、前記リザーブホースの前記リザーブタンク内に収容される部分は鉛直姿勢に配置され、その先端部が水平面に対して傾斜状に形成されたことを特徴としている。
【００１２】
請求項３の太陽熱温水システムは、請求項１又は２の発明において、前記リザーブタンクは平面視Ｌ字状に形成され、このリザーブタンクと前記熱媒体と熱交換される暖房用湯水を貯留する暖房膨張タンクとが平面視にて矩形状になるように配置されたことを特徴としている。
【発明の効果】
【００１３】
請求項１の発明によれば、リザーブタンクの底部の底面積が、この底部以外の部分の水平断面積より小面積に設定されるので、リザーブタンクの底部に残留する熱媒体を可及的に減少させることができ、リザーブタンク内に上方から挿入されたリザーブホースの先端部が、リザーブタンクの底部に近接するように配設されたので、リザーブホースによりリザーブタンクの底部の熱媒体を確実に吸い上げ、集熱循環経路内に供給する事ができる。従って、太陽熱温水システムを長期間使用して、集熱循環経路内とリザーブタンク内の熱媒体が徐々に減少してきても、リザーブタンク内の熱媒体を殆ど残留させることなく供給可能なので、集熱循環経路内の熱媒体が早い時期で不足してしまうのを防止することができ、リザーブタンクへの熱媒体の補充時期を大幅に遅らせることができる。さらに、熱媒体がリザーブタンク内に残留しないように集熱循環経路内に供給されるので、リザーブタンクを小型に設計することができる。
【００１４】
請求項２の発明によれば、リザーブホースのリザーブタンク内に収容される部分は鉛直姿勢に配置され、その先端部が水平面に対して傾斜状に形成されたので、リザーブホースの先端部が、リザーブタンクの底部で塞がれるのを防止し、リザーブタンク内の熱媒体を集熱循環経路に確実に供給することができる。
【００１５】
請求項３の発明によれば、リザーブタンクは平面視Ｌ字状に形成され、このリザーブタンクと熱媒体と熱交換される暖房用湯水を貯留する暖房膨張タンクとが平面視にて矩形状になるように配置されたので、狭い設置スペースであっても、リザーブタンクと暖房膨張タンクとをコンパクトに配置することができる上、暖房膨張タンクの側面のうちのリザーブタンクに隣接する２側面を、リザーブタンクに近接或いは当接させることができるので、暖房膨張タンクの放熱を効率良く防止することができる。
【図面の簡単な説明】
【００１６】
【図１】本発明の太陽熱温水システムのシステム概略図である。
【図２】集熱膨張タンクとリザーブタンクの正面図である。
【図３】リザーブタンクの側面図である。
【図４】リザーブタンクの正面側からの斜視図である。
【図５】リザーブタンクの裏面側からの斜視図である。
【図６】リザーブタンクと暖房膨張タンクの平面図である。
【発明を実施するための形態】
【００１７】
以下、本発明を実施するための形態について実施例に基づいて説明する。
【実施例】
【００１８】
先ず、太陽熱温水システム１の全体構成について簡単に説明する。
図１に示すように、太陽熱温水システム１は、太陽熱集熱パネル２と、集熱循環経路３と、熱媒体貯留タンク４と、集熱循環ポンプ５と、前記集熱循環経路３内の内圧が所定圧力以上になった場合に開放される圧力逃し弁６と、この圧力逃し弁６にリザーブホース７を介して接続されたリザーブタンク８と、循環ポンプ５や切換弁１３などを制御する制御ユニット（図示略）などを備えている。尚、本発明の太陽熱温水システム１は、太陽熱集熱パネル２が屋根に設置され、熱媒体貯留タンク４などが地上に設置されたタンク分離型の太陽熱温水システム１である。
【００１９】
太陽熱集熱パネル２（以下、集熱パネルという）は、地上や屋上や傾斜屋根などの水平な又は傾斜した設置面上に金属製の取付架台を介して設置されている。この集熱パネル２は、平板状に構成され、表面側の集熱部２ａと、この集熱部２ａの裏面側に形成された断熱部材などから構成されている。集熱部２ａ内には、集熱循環経路３の一部を構成する例えば蛇行状に形成された熱媒体の流通路２ｂが設けられている。この流通路２ｂに集熱循環経路３が往き口９ａと戻り口９ｂを介して接続され、前記集熱部２ａに直接熱媒体を接触させることで、熱媒体を加熱する。尚、この集熱パネル２は、一般的な構造なので詳細な説明は省略する。
【００２０】
集熱パネル２で加熱された熱媒体が循環される集熱循環経路３（以下、循環経路という）は、集熱パネル２に接続された共通経路３ａと、給湯用湯水と熱交換する貯湯タンク１１を通る第１経路３ｂと、暖房用湯水と熱交換する熱交換器１２を通る第２経路３ｃとから構成され、循環系路３の内部には、熱媒体が充填されている。共通経路３ａには、熱媒体を充填された熱媒体貯留タンク４と、熱媒体を循環させる為の集熱循環ポンプ５などが介装されている。尚、本発明の循環経路３は、密閉型に構成されている。
【００２１】
循環経路３には、第１経路３ｂと第２経路３ｃのうちの少なくとも一方に切り換え可能な切換弁１３が設けられている。制御ユニットにより、切換弁１３が第１経路３ｂのみを選択している場合は、集熱パネル２で加熱された熱媒体は、共通経路３ａと第１経路３ｂとを循環して、貯湯タンク１１内で給湯用湯水と熱交換する。制御ユニットにより、切換弁１３が第２経路３ｃのみを選択している場合は、熱媒体は、共通経路３ａと第２経路３ｃとを循環して、熱交換器１２にて暖房用湯水と熱交換する。制御ユニットにより、切換弁１３が第１，第２経路３ｂ，３ｃの両方に循環するように選択している場合は、熱媒体は、共通通路３ａと第１，第２経路３ｂ，３ｃの両方を循環して、貯湯タンク１１内で給湯用湯水と熱交換すると共に熱交換器１２にて暖房用湯水と熱交換する。
【００２２】
熱媒体貯留タンク４（以下、貯留タンクという）は、熱媒体を一時的に貯留可能であり、リザーブタンク８と共に集熱膨張タンクを構成するものである。貯留タンク４の外周部には、貯留タンク４内の熱媒体の水位を検出する集熱水位電極１４ａなどが設けられている。この貯留タンク４は、その上部の注入口４ａから熱媒体が充填可能である。尚、本発明の貯留タンク４は、一般的な構造なので詳細な説明は省略する。
【００２３】
集熱循環ポンプ５（以下、循環ポンプという）は、循環経路３内において、熱媒体を制御ユニット（図示略）の指令に基づいて所定の流速で循環させるものである。この循環ポンプ５も、貯留タンク４と同様に、一般的な構造なので詳細な説明は省略する。
【００２４】
圧力逃し弁６は、貯留タンク４の上端部の注入口４ａに設けられている。この圧力逃し弁６は、循環経路３内の内圧が所定値以上になった場合と、循環経路３内の内圧が所定値以下になった場合に閉塞状態から開放状態に切り換わる。圧力逃し弁６の具体的な構成については、上記と同様に一般的な構造なので詳細な説明は省略する。
【００２５】
尚、集熱循環経路３内とリザーブタンク８内の熱媒体は不凍液であり、プロピレングリコールやエチレングリコールなどを主成分とするものである。この不凍液は、太陽熱温水システム１の使用環境などに応じて、前記プロピレングリコールやエチレングリコールの濃度が適宜設定される。尚、不凍液には、錆を防ぐ防食剤や冷却効率を高める消泡剤などを含めても良い。
【００２６】
次に、リザーブタンク８について説明する。
図２〜図５に示すように、リザーブタンク８は、合成樹脂製のものであって、断面視Ｌ字形（Ｐ字形）に且つ正面視にて縦長の略矩形状に形成されている。リザーブタンク８は、リザーブホース７を介して貯留タンク４に連結されている。リザーブタンク８は、その上端部を支持部（図示略）に固定し、その下端部を支持台１５に固定することで、設置されている（図２参照）。尚、図２の上下左右を上下左右として説明する。
【００２７】
リザーブタンク８は、偏平形状のタンク本体８ａと、このタンク本体８ａの左部後端から後方に膨らんだタンク膨出部８ｂとから一体的に形成されている。タンク本体８ａは、リザーブタンク８の偏平形状な前部分を構成し、タンク膨出部８ｂは、リザーブタンク８の後部分を構成する。タンク膨出部８ｂの前後方向の厚さは、タンク本体８ａの厚さの約２倍程度に設定され、タンク膨出部８ｂの左右方向の幅は、タンク本体８ａの左右方向の幅の約１／３倍程度に設定されている。尚、リザーブタンク８の容量は、循環経路３内や貯留タンク４内の熱媒体の膨張・収縮量に対応するサイズに設定されることが望ましい。
【００２８】
リザーブタンク８の前面と後面には、溝状の複数のリブ８ｃが形成されている。この複数のリブ８ｃは、上下方向と左右方向に延びる格子状に形成されている。このリザーブタンク８は、ブロー成形（中空成形）により製造されている。
【００２９】
図２，図４，図５に示すように、タンク本体８ａには、前後方向に貫通する３つの凹入部８ｄが形成され、これら３つの凹入部８ｄは、上下方向にほぼ等間隔に配列されている。これら３つの凹入部８ｄの周壁部が、タンク本体８ａの前面と後面とを連結することで、リザーブタンク８の前後方向（厚み方向）への強度が補強される。
【００３０】
タンク本体８ａの上端面中央部には、取付片８ｅが上方へ突出状に一体形成されている。リザーブタンク８を支持部に固定する場合は、この取付片８ｅの挿通孔に、取付用ボルト１６を挿通して支持部に螺合することで、リザーブタンク８の上端部を固定する。
【００３１】
タンク本体８ａの上端面右部には、リザーブタンク８内部の熱媒体を貯留タンク４へ供給するための、或いは、貯留タンク４内から熱媒体を排出するための後述するリザーブホース７が挿入されている。
【００３２】
タンク本体８ａの右端面の上端部には、オーバーフローホース１７が連結部１７ａを介して接続されている。貯留タンク４からリザーブタンク８に熱媒体が排出され、この排出された熱媒体がリザーブタンク８の内部の容量を超えた場合に、オーバーフローホース１７を介して熱媒体を外部に排出する。タンク本体８ａの下端面の右部には、水抜きホース１８が連結部１８ａを介して接続され、リザーブタンク８の底部から熱媒体を排出可能である。
【００３３】
図２に示すように、タンク膨出部８ｂの上端面には、集熱水位電極１４ｂとアース端子１９が取り付けられている。集熱水位電極１４ｂは、リザーブタンク８内の熱媒体の水位を検出するためのものであり、アース端子１９は、リザーブタンク８内の熱媒体をアース接地するためのものである。リザーブタンク８内に挿入された集熱水位電極１４ｂとアース端子１９の下端部（先端部）は、リザーブタンク８内の中段部分に配置されている。
【００３４】
図６に示すように、平面視Ｌ字状に形成されたリザーブタンク８は、熱媒体と熱交換される暖房用湯水を一時的に貯留可能な且つ熱交換器１２と接続された暖房膨張タンク３０と共に平面視にて矩形状になるように配置されている。尚、上記の暖房膨張タンク３０に代えて、別のタンクとリザーブタンク８とを平面視にて矩形状になるように配置しても良い。
【００３５】
次に、リザーブホース７について説明する。
図２に示すように、リザーブホース７は、その一端部が接続された圧力逃し弁６から水平方向にリザーブタンク８の方へ延び、リザーブタンク８の上方で９０度下方に湾曲されて、リザーブホース７の他端部（先端部）がリザーブタンク８に上方から挿入されている。リザーブホース７のリザーブタンク８内に収容される部分７ａは鉛直姿勢に配置されている。リザーブタンク８内に挿入されたリザーブホース７の先端部７ｂが、リザーブタンク８の底部に近接するように配設されている。リザーブホース７の先端部７ｂは水平面に対して傾斜状に形成されている。
【００３６】
次に、リザーブタンク８の水平断面積について説明する。
図２，図３に示すように、タンク本体８ａとタンク膨出部８ｂの大部分に相当する上側部分２１，２４の水平断面積は、タンク本体８ａの上部の水平断面積が僅かに小面積に形成されている部分を除いて、ほぼ一定の断面積になるように設定されている。
【００３７】
図２に示すように、タンク本体８ａの下部近傍部分において、その右端面８ｇは左方に向けて傾斜状に形成されている。このため、タンク本体８ａの傾斜部分２２の水平断面積は、下方程徐々に小面積化するように形成されている。このタンク本体８ａの傾斜部分２２の下側に連なる下端側部分２３（タンク本体８ａの底部）の水平断面積は、上側部分２１の水平断面積より小面積になるように形成されている。
【００３８】
図３に示すように、タンク膨出部８ｂの下側部分２５ａ，２５ｂ（タンク本体８ａの傾斜部分２２と下端側部分２３に対応する部分）には、下方ほど前方に向けて傾斜する傾斜面８ｆが形成されている。このため、タンク膨出部８ｂの下側部分２５ａ，２５ｂの水平断面積は、下方程徐々に小面積化するように形成されている。タンク本体８ａの下端側部分２３の高さはリザーブタンク８の全高の約１／８倍程度である。
【００３９】
このように、タンク本体８ａの下端側部分２３とこの下端側部分２３に対応するタンク膨出部８ｂの下側部分２５ｂの水平断面積、つまり、リザーブタンク８の底部の底面積が、この底部以外の部分（タンク本体８ａの傾斜部分２２と上側部分２１とタンク膨出部８ｂの傾斜部分２２に対応する下側部分２５ａと上側部分２４）の水平断面積より小面積に設定されている。
【００４０】
次に、本発明の太陽熱温水システム１の作用について説明する。
先ず、太陽熱温水システム１の運転を実行すると、図示外の制御ユニットの指令に基づいて循環ポンプ５の作動が開始する。すると、循環経路３内で熱媒体の循環が開始され、集熱パネル２の集熱部２ａで熱媒体が加熱される。加熱された熱媒体は、切換弁１３が第１経路３ｂを選択している場合は、共通経路３ａと第１経路３ｂとを循環して、熱媒体は貯湯タンク１１内で給湯用湯水と熱交換する。切換弁１３が第２経路３ｃを選択している場合は、共通経路３ａと第２経路３ｃとを循環して、熱媒体は熱交換器１２で暖房用湯水と熱交換する。切換弁１３が第１，第２経路３ｂ，３ｃの両方を選択している場合は、熱媒体は第１，第２経路３ｂ，３ｃの両方を循環して、熱媒体は貯湯タンク１１内で給湯用湯水と熱交換すると共に熱媒体は熱交換器１２で暖房用湯水と熱交換する。
【００４１】
ところで、循環経路３内の熱媒体の温度が徐々に上昇していくと、熱媒体が膨張して循環経路３内の内圧が徐々に上昇してくる。貯留タンク４内の内圧が正圧（予め設定された所定の圧力以上）になると、圧力逃し弁６が閉塞状態から開放状態に作動する。このとき、リザーブタンク８内は大気圧で貯留タンク４内の内圧より低圧になるので、この圧力差により、貯留タンク４内の熱媒体は、リザーブホース７を介してリザーブタンク８内に排水される。
【００４２】
また、夜間や太陽熱温水システム１の外部の気温が低下した場合、循環経路３内において、熱媒体の温度が徐々に低下していく。すると、熱媒体が収縮して循環経路３内の内圧が減少していく。貯留タンク４内の内圧が負圧（予め設定された所定の圧力以下）になると、圧力逃し弁６が閉塞状態から開放状態に作動する。このとき、リザーブタンク８内は大気圧で貯留タンク４内の内圧より高圧になるので、この圧力差により、リザーブホース７がリザーブタンク８の底部近傍から熱媒体を吸い出して貯留タンク４に熱媒体を供給する。
【００４３】
次に、本発明の太陽熱温水システム１の効果について説明する。
リザーブタンク８の底部の底面積が、この底部以外の部分の水平断面積より小面積に設定されるので、リザーブタンク８の底部に残留する熱媒体を可及的に減少させることができ、リザーブタンク８内に挿入されたリザーブホース７の先端部が、リザーブタンク８の底部に近接するように配設されたので、リザーブホース７によりリザーブタンク８の底部の熱媒体を確実に吸い上げ、集熱循環経路３内に供給する事ができる。従って、太陽熱温水システム１を長期間使用して、集熱循環経路３内とリザーブタンク８内の熱媒体が徐々に減少してきても、リザーブタンク８内の熱媒体を殆ど残留させることなく供給可能なので、集熱循環経路３内の熱媒体が早い時期で不足してしまうのを防止することができ、リザーブタンク８への熱媒体の補充時期を大幅に遅らせることができる。さらに、熱媒体がリザーブタンク８内に残留しないように集熱循環経路３内に供給されるので、リザーブタンク８を小型に設計することができる。
【００４４】
リザーブホース７のリザーブタンク８内に収容される部分は鉛直姿勢に配置され、その先端部が水平面に対して傾斜状に形成されたので、リザーブホース７の先端部がリザーブタンク８の底部で塞がれるのを防止し、リザーブタンク８内の熱媒体を集熱循環経路３に確実に供給することができる。
【００４５】
リザーブタンク８は平面視Ｌ字状に形成され、このリザーブタンク８と熱媒体と熱交換される暖房用湯水を貯留する暖房膨張タンク３０とが平面視にて矩形状になるように配置されたので、狭い設置スペースであっても、リザーブタンク８と暖房膨張タンク３０とをコンパクトに配置することができる上、暖房膨張タンク３０の側面のうちのリザーブタンク８に隣接する２側面を、リザーブタンクに近接或いは当接させることができるので、暖房膨張タンクの放熱を効率良く防止することができる。
【００４６】
その他、当業者であれば、本発明の趣旨を逸脱することなく、前記実施例の種々の変更を付加した形態で実施可能で、本発明はそのような変更形態を包含するものである。
【産業上の利用可能性】
【００４７】
本発明は、太陽熱集熱パネルで加熱された熱媒体が循環される集熱循環経路にリザーブホースを介してリザーブタンクが接続された種々の太陽熱温水システムに適用することができる。
【符号の説明】
【００４８】
１  太陽熱温水システム
２  太陽熱集熱パネル
３  集熱循環経路
４  熱媒体貯留タンク
５  集熱循環ポンプ
６  圧力逃し弁
７  リザーブホース
８  リザーブタンク
３０  暖房膨張タンク
【図１】
2012026689.tif 000003
【図２】
2012026689.tif 000004
【図３】
2012026689.tif 000005
【図４】
2012026689.tif 000006
【図５】
2012026689.tif 000007
【図６】
2012026689.tif 000008